(57)【特許請求の範囲】
【請求項１】
投入された有価証券千枚束に対して、その員数保証を目的として封緘用製品保証テープを貼付して封緘有価証券千枚束を作成する封緘用製品保証テープ貼付手段と、
この封緘用製品保証テープ貼付手段によって貼付された封緘用製品保証テープが正しく貼付されているか否かを検査する封緘用製品保証テープ検査手段と、
投入された有価証券千枚束に含まれる有価証券の記番号が印字されており、投入された有価証券千枚束に予め貼付されている記番号表示票の記番号と有価証券千枚束内の有価証券の記番号とを読取り照合する記番号検査手段と、
前記封緘用製品保証テープ検査手段による検査結果及び記番号検査手段による検査結果が正しい封緘有価証券千枚束を十束纏めてフィルム包装し、有価証券千枚束十束封を作成する包装手段と、
この包装手段で包装された有価証券千枚束十束封に対して機械読取可能なＩＤが印刷されたラベルＩＤを貼付するラベルＩＤ貼付手段と、
予めパレットＩＤが記録されたパレットに対して、前記ラベルＩＤ貼付手段でラベルＩＤが貼付された有価証券千枚束十束封を所定個数積載するパレット積載手段と、
このパレット積載手段で積載された有価証券千枚束十束封のラベルＩＤを読取るラベルＩＤ読取り手段と、
前記ラベルＩＤ貼付手段で貼付されたラベルＩＤに対応付けて、当該有価証券千枚束十束封に含まれ、前記記番号検査手段で読取られた封緘有価証券千枚束の記番号を記憶する第１の記憶手段と、
前記パレットＩＤに対応付けて、当該パレットに積載され、前記ラベルＩＤ読取り手段で読取られた有価証券千枚束十束封のラベルＩＤを記憶する第２の記憶手段とを有し、
有価証券の記番号をその記番号が含まれる有価証券千枚束十束封のラベルＩＤ及び、その有価証券千枚束十束封が含まれるパレットのパレットＩＤと対応付けて管理することを特徴とする有価証券処理システム。
【請求項２】
前記封緘用製品保証テープ貼付手段は、
有価証券千枚束に対して十文字状に結束された縦帯体と横帯体の２本の帯体上のうち横帯体と縦帯体との交差部において、横帯体および縦帯体の両者にまたがるように蛍光物質を含む製品保証テープを貼付して封緘有価証券千枚束を作製する手段を
備えたことを特徴とする請求項１記載の有価証券処理システム。
【請求項３】
前記封緘用製品保証テープ検査手段は、
可視波長域の光、及び封緘用製品保証テープの蛍光物質に対応する紫外線を前記封緘有価証券千枚束に照射する照射手段と、
この照射手段によって照射された可視波長域の光が封緘有価証券千枚束によって反射された反射光と紫外線が封緘用製品保証テープに照射された際に生じる蛍光物質の励起光とを撮像する画像取得手段と、
この画像取得手段が撮像した画像から、前記帯体の有無および位置を検出する帯体検出手段と、
前記画像取得手段が撮像した画像から、封緘用製品保証テープの有無および位置を検出するテープ検出手段と、
前記帯体検出手段の検出結果と前記テープ検出手段の検出結果とに基づいて、封緘有価証券千枚束の品質の良否を判定する良否判定手段と、
この良否判定手段によって不良と判定された封緘有価証券千枚束を分岐する排除手段と、
を備えたことを特徴とする請求項２記載の有価証券処理システム。
【請求項４】
前記記番号検査手段は、
可視波長域の光を前記封緘有価証券千枚束に照射する照射手段と、
この照射手段によって照射された可視波長域の光が前記封緘有価証券千枚束によって反射された反射光を撮像する画像取得手段と、
この画像取得手段により取得された画像から有価証券に印刷されている記番号と記番号表示票に印字されている記番号とを読取る記番号読取手段と、
この記番号読取手段で読取った有価証券の記番号と記番号表示票の記番号との整合性を照合検査する記番号照合手段と、
前記記番号読取手段で読取った記番号から封緘有価証券千枚束の記番号の重複を検査する重複検査手段と、
を有し、
前記良否判定手段は、前記記番号検査手段及び前記重複検査手段各々の検査結果に基づいて、封緘有価証券千枚束の品質の良否を判定することを特徴とする請求項３記載の有価証券処理システム。
【請求項５】
前記記番号照合手段は、
前記有価証券処理システムとは異なる他のシステムから当該封緘有価証券千枚束が良製品であることを示すデータを受信する手段と、
前記記番号照合手段において不良製品と判定された記番号を、前記受信手段で受信した良製品と判定されたデータと照合して、前記排除手段によって分岐されることを回避するための回避手段と、
を備えたことを特徴とする請求項４記載の有価証券処理システム。
【請求項６】
前記ラベルＩＤ読取り手段は、
ラベルＩＤの読み取りを確実にするためにラベルＩＤに対して可視波長域の光を照射する照射手段と、
ラベルＩＤによって反射された反射光を撮像する画像取得手段と、
前記照射手段と前記画像取得手段を一体として昇降させることにより、パレットに積載された全ての有価証券千枚束十束封のラベルＩＤを読み取る昇降手段と、
前記画像取得手段の検出結果に基づいて封緘有価証券千枚束のＩＤを確認するとともに、パレットに積載されている縛着済有価証券千枚束十束封の数量をあらかじめ記憶されている数量と比較する保証手段と、
を備えたことを特徴とする請求項５に記載の有価証券処理システム。
【発明の詳細な説明】
【０００１】
【発明の属する技術分野】
本発明は、帯体によって帯封された有価証券千枚束を単位として、その品質を保証するように有価証券千枚束に封緘用製品保証テープを貼付するとともに、封緘用製品保証テープを貼付した有価証券千枚束を十束纏めて有価証券千枚束十束封を作成し、さらにその有価証券千枚束十束封を所定個数まとめてパレットに積載し、かつ有価証券千枚束の記番号をその有価証券千枚束が含まれる有価証券千枚束十束封及びパレットに対応付けて管理するようにした有価証券処理システムに関する。
【０００２】
【従来の技術】
一般に、この種の有価証券処理システムとしては、所定の個数分だけの有価証券千枚束を並べ、その周囲にプラスチックフィルムを被せて包装するだけのシステムであった。
【０００３】
【発明が解決しようとする課題】
しかしながら、単に有価証券千枚束を包装するだけのシステムでは、投入された有価証券千枚束を無秩序に投入された順番に並べて、フィルムを被せる過程の有価証券千枚束に対する検査機能がないため、例えば、帯体の巻き付けが不十分な有価証券千枚束や有価証券の記番号が不鮮明な有価証券千枚束、有価証券に印刷された記番号と表示票に印字された記番号とが一致していない有価証券千枚束をも含めて、全て包装されていた。
【０００４】
このため、フィルム包装後に不良有価証券千枚束が発見された場合には、いちいちフィルムを破いて再封包を行う必要があった。また、最終的な製品形態である積載パレットに内包された封緘有価証券千枚束の記番号データが関連付けされていないため、何らかの原因で有価証券千枚束を遡及調査する場合には、全ての封緘有価証券千枚束十束封及び積載パレットを調査・確認する必要があった。
【０００５】
本発明は、このような点に考慮してなされたものであり、フィルム包装処理の前工程で有価証券千枚束に対する検査を行い、良品のみをフィルム包装処理工程に送り出すとともに、記番号表示票検査装置で読み取った記番号データを有価証券千枚束十束封のラベルＩＤ、および積載されたパレットのパレットＩＤと関連付けて記憶することにより、何らかの障害・異常が発生した場合の処理を容易にすることができる有価証券処理システムを提供することを目的とする。
【０００６】
【課題を解決するための手段】
本発明は、投入された有価証券千枚束に対して、その員数保証を目的として封緘用製品保証テープを貼付して封緘有価証券千枚束を作成する封緘用製品保証テープ貼付手段と、この封緘用製品保証テープ貼付手段によって貼付された封緘用製品保証テープが正しく貼付されているか否かを検査する封緘用製品保証テープ検査手段と、投入された有価証券千枚束に含まれる有価証券の記番号が印字されており、投入された有価証券千枚束に予め貼付されている記番号表示票の記番号と有価証券千枚束内の有価証券の記番号とを読取り照合する記番号検査手段と、前記封緘用製品保証テープ検査手段による検査結果及び記番号検査手段による検査結果が正しい封緘有価証券千枚束を十束纏めてフィルム包装し、有価証券千枚束十束封を作成する包装手段と、この包装手段で包装された有価証券千枚束十束封に対して機械読取可能なＩＤが印刷されたラベルＩＤを貼付するラベルＩＤ貼付手段と、予めパレットＩＤが記録されたパレットに対して、前記ラベルＩＤ貼付手段でラベルＩＤが貼付された有価証券千枚束十束封を所定個数積載するパレット積載手段と、このパレット積載手段で積載された有価証券千枚束十束封のラベルＩＤを読取るラベルＩＤ読取り手段と、前記ラベルＩＤ貼付手段で貼付されたラベルＩＤに対応付けて、当該有価証券千枚束十束封に含まれ、前記記番号検査手段で読取られた封緘有価証券千枚束の記番号を記憶する第１の記憶手段と、前記パレットＩＤに対応付けて、当該パレットに積載され、前記ラベルＩＤ読取り手段で読取られた有価証券千枚束十束封のラベルＩＤを記憶する第２の記憶手段とを有し、有価証券の記番号をその記番号が含まれる有価証券千枚束十束封のラベルＩＤ及び、その有価証券千枚束十束封が含まれるパレットのパレットＩＤと対応付けて管理することを特徴とする有価証券処理システムである。
【０００７】
本発明によれば、第１の記憶手段で、各有価証券千枚束十束封を識別するためのラベルＩＤ及び各封緘有価証券千枚束を識別するための記番号が相互に対応づけられて記憶され、第２の記憶手段で、ラベルＩＤ及び各パレットを識別するためのパレットＩＤが相互に対応づけられて記憶される。これにより、各有価証券千枚束十束と各有価証券千枚束十束封と各パレットとの対応関係を明確にすることができる。
【０００８】
また、前記封緘用製品保証テープ貼付手段は、有価証券千枚束に対して十文字状に結束された縦帯体と横帯体の２本の帯体上のうち横帯体と縦帯体との交差部において、横帯体および縦帯体の両者にまたがるように蛍光物質を含む製品保証テープを貼付して封緘有価証券千枚束を作製する手段を備えていることが好ましい。
【０００９】
この場合、横帯体および縦帯体の両者にまたがるように製品保証テープを貼付することにより有価証券千枚束を確実に封緘することができ、また、製品保証テープが含む蛍光物質の励起光により製品保証テープの確認を容易に行うことができる。
【００１０】
また、前記封緘用製品保証テープ検査手段は、可視波長域の光、及び封緘用製品保証テープの蛍光物質に対応する紫外線を前記封緘有価証券千枚束に照射する照射手段と、この照射手段によって照射された可視波長域の光が封緘有価証券千枚束によって反射された反射光と紫外線が封緘用製品保証テープに照射された際に生じる蛍光物質の励起光とを撮像する画像取得手段と、この画像取得手段が撮像した画像から、前記帯体の有無および位置を検出する帯体検出手段と、前記画像取得手段が撮像した画像から、封緘用製品保証テープの有無および位置を検出するテープ検出手段と、前記帯体検出手段の検出結果と前記テープ検出手段の検出結果とに基づいて、封緘有価証券千枚束の品質の良否を判定する良否判定手段と、この良否判定手段によって不良と判定された封緘有価証券千枚束を分岐する排除手段と、を備えることが好ましい。
【００１１】
この場合、帯体の有無および位置と、製品保証テープの有無および位置を迅速かつ効率良く確認することができる。
【００１２】
また、前記記番号検査手段は、可視波長域の光を前記封緘有価証券千枚束に照射する照射手段と、この照射手段によって照射された可視波長域の光が前記封緘有価証券千枚束によって反射された反射光を撮像する画像取得手段と、この画像取得手段により取得された画像から有価証券に印刷されている記番号と記番号表示票に印字されている記番号とを読取る記番号読取手段と、この記番号読取手段で読取った有価証券の記番号と記番号表示票の記番号との整合性を照合検査する記番号照合手段と、前記記番号読取手段で読取った記番号から封緘有価証券千枚束の記番号の重複を検査する重複検査手段と、を有し、前記良否判定手段は、前記記番号検査手段及び前記重複検査手段各々の検査結果に基づいて、封緘有価証券千枚束の品質の良否を判定することが好ましい。
【００１３】
この場合、有価証券の記番号と記番号表示票の記番号との整合性を迅速かつ効率良く照合検査することができ、また、封緘有価証券千枚束の記番号の重複を迅速かつ効率良く検査することができる。
【００１４】
また、前記記番号照合手段は、前記有価証券処理システムとは異なる他のシステムから当該封緘有価証券千枚束が良製品であることを示すデータを受信する手段と、前記記番号照合手段において不良製品と判定された記番号を、前記受信手段で受信した良製品と判定されたデータと照合して、前記排除手段によって分岐されることを回避するための回避手段と、を備えていることが好ましい。
【００１５】
この場合、データを受信する手段と回避手段とによって、記番号照合手段では不良であると判定されたが他のシステムでは良製品であると判定されている封緘有価証券千枚束が、不良製品として排除されるのを回避することができる。
【００１６】
また、前記ラベルＩＤ読取り手段は、ラベルＩＤの読み取りを確実にするためにラベルＩＤに対して可視波長域の光を照射する照射手段と、ラベルＩＤによって反射された反射光を撮像する画像取得手段と、前記照射手段と前記画像取得手段を一体として昇降させることにより、パレットに積載された全ての有価証券千枚束十束封のラベルＩＤを読み取る昇降手段と、前記画像取得手段の検出結果に基づいて封緘有価証券千枚束のＩＤを確認するとともに、パレットに積載されている縛着済有価証券千枚束十束封の数量を予め記憶されている数量と比較する保証手段と、を備えていることが好ましい。
【００１７】
この場合、パレットに積載されている縛着済の有価証券千枚束十束封の良否を確実に確認することができる。
【００１８】
【発明の実施の形態】
以下、図面を参照して本発明の実施の形態について説明する。
【００１９】
図１は有価証券処理システム全体の構成図であり、図２は積載車から十束封包装置へ有価証券千枚束が搬送される過程を示す概略図である。図３は封緘有価証券千枚束を示す図であり、図４は記番号表示票を示す図である。図５は側面バーコードラベル及び上面バーコードラベルを貼付した有価証券千枚束十束封を示す図である。図６はパレットに積載された有価証券千枚束十束封を示す図であり、図７は入記ラベルが貼付された縛着十束封積載パレットを示す図である。図８は製品保証テープ確認装置の構成図であり、図９は記番号表示票確認装置の構成図である。図１０は有価証券処理システムの全体の流れを示すフローチャートであり、図１１は後述する総合管理用サーバ（ＢＣＳ）に記憶されるパレットＩＤと十束封ＩＤと記番号とを対応づけた管理データの一例を示す概念図である。図１２は製品保証テープ確認装置による製品保証テープの確認方法を説明するための説明図である。
【００２０】
まず、有価証券処理システムに供給される有価証券千枚束５０の構成について説明する。
【００２１】
有価証券千枚束５０は、百枚の有価証券３０を積層して一束とした百枚束を１０個積層して千枚束状とされるのが一般的である（図３参照）。そして、この千枚束状の有価証券の表側面および裏側面のそれぞれにおいて、横帯体４１ａと縦帯体４１ｂとが相互に十字に交差するように十文字状に巻き付けられている。また、横帯体４１ａと縦帯体４１ｂとの交差部６０における縦帯体４１ｂ上には、記番号表示票４２が貼付されている。記番号表示票４２は、有価証券千枚束５０に含まれている有価証券３０を識別するために貼付されるものであり、有価証券３０を識別するために必要な番号等が表示されている。従って、例えば本実施の形態では、図４に示すように、有価証券千枚束５０の最下部に位置する有価証券３０を識別するための記番号「ＡＡ０００００１Ａ」が、記番号表示票４２に表示されている。なお、本実施の形態では、記番号の小さい有価証券３０が最下部に配置されており、記番号の大きい有価証券３０が順次その上に積み重ねられている。また、記番号表示票４２に表示される番号等は、数字、記号、文字、これらの組み合わせでもよく、記番号表示票も単に番号表でもよい。
【００２２】
次に、有価証券処理システム全体の構成について概説する。
【００２３】
図１及び図２に示すように、有価証券処理システムは、投入された有価証券千枚束５０に封緘用製品保証テープ５５を貼付して封緘有価証券千枚束５１（図３参照）を作成する製品保証テープ貼付装置１（封緘用製品保証テープ貼付手段）を備えている。この封緘用製品保証テープ５５は、透明体からなるとともに紫外線が照射されると励起光を発する蛍光物質を含んでおり、強力な粘着力を有している。
【００２４】
製品保証テープ貼付装置１の前段には製品供給装置２が設けられている。製品供給装置２は、有価証券千枚束５０を積載車３５から有価証券処理システムに供給するようになっている。
【００２５】
製品保証テープ貼付装置１の後段には製品保証テープ確認装置３が接続されいる。この封緘用製品保証テープ確認装置３は、製品保証テープ貼付装置１から送られてきた封緘有価証券千枚束５１の封緘用製品保証テープ５５が正しく貼付されているか否かを判定するようになっている。
【００２６】
製品保証テープ確認装置３の後段には製品保証テープ排除束集積装置５が接続されている。この製品保証テープ排除束集積装置５は、製品保証テープ確認装置３によって封緘用製品保証テープ５５が正しく貼付されていないと判定された封緘有価証券千枚束５１を、有価証券処理システムの外に排除するようになっている。
【００２７】
製品保証テープ排除束集積装置５の後段には記番号表示票確認装置７（記番号検査手段）が接続されている。この記番号表示票確認装置７は、製品保証テープ確認装置３において封緘用製品保証テープ５５が正しく貼付されていると判定された封緘有価証券千枚束５１が、製品保証テープ確認装置３から製品保証テープ排除束集積装置５を介して送られてくるようになっている。そして、送られてきた封緘有価証券千枚束５１に貼付されている記番号表示票４２（図４参照）に表示されている記番号と、封緘有価証券千枚束５１の最上部に位置する有価証券に表示されている記番号とを読み取って、記番号の照合判定、記番号の重複チェック判定を行うようになっている。
【００２８】
記番号表示票確認装置７の後段には記番号表示票排除束集積装置９が接続されている。この記番号表示票排除束集積装置９は、記番号表示票確認装置７において不良であると判定された封緘有価証券千枚束５１が送られてきたとき、この不良封緘有価証券千枚束５１を有価証券処理システムの外に排除するようになっている。
【００２９】
また、記番号表示票確認装置７の後段には十束集積装置１０が接続されている。この十束集積装置１０には、記番号表示票確認装置７において良好であると判定された封緘有価証券千枚束５１が、記番号表示票確認装置７から送られてくるようになっている。そして、送られきた十束の封緘有価証券千枚束５１を集積して一体の十束製品を作製するようになっている。
【００３０】
十束集積装置１０の後段には十束封包装置１１が接続されており、十束製品が、十束集積装置１０から十束封包装置１１へ送られるようになっている。十束封包装置１１は、送られてきた十束製品をフィルムにより封包するようになっている。
【００３１】
十束封包装置１１の後段にはシュリンク装置１２が接続されている。シュリンク装置１２は、温度制御されて均一温度に保たれるシュリンクトンネル（図示せず）と、シュリンクトンネル内を搬送される十束製品に熱風を吹き付けることが可能な熱風ブロア（図示せず）と、シュリンクトンネルから排出された十束製品に常温風を吹き付けることが可能な常温風ブロア（図示せず）と、を有している。また、シュリンクトンネルの入口および出口には自動巻き上げ式の耐熱カバー（図示せず）が設けられており、シュリンクトンネルの内部から外部への熱放出が防がれている。
【００３２】
このシュリンク装置１２は、十束封包装置１１から送られてきた十束製品を封包するフィルムを熱収縮させて、有価証券千枚束十束封７０を作製するようになっている（図５参照）。
【００３３】
十束封包装置１１の後段にはバーコード印字貼付装置１５（ラベルＩＤ貼付手段）が接続されている。このバーコード印字貼付装置１５は、各有価証券千枚束十束封７０を識別するための十束封ＩＤ（ラベルＩＤ）を側面バーコードラベル６１及び上面バーコードラベル６３に印字して、この側面バーコードラベル６１及び上面バーコードラベル６３を対応する有価証券千枚束十束封７０に貼付するようになっている（図５参照）。
【００３４】
バーコード印字貼付装置１５の後段には十束封ＩＤ判定装置１８（ラベルＩＤ読取り手段）が接続されている。この十束封ＩＤ判定装置１８は、バーコード印字貼付装置１５から有価証券千枚束十束封７０が送られるようになっている。そして、この有価証券千枚束十束封７０に貼付されている側面バーコードラベル６１及び上面バーコードラベル６３に印字されている十束封ＩＤを読み取って、有価証券千枚束十束封７０に付された十束封ＩＤが適正なものか否かを判定するようになっている。
【００３５】
十束封ＩＤ判定装置１８の後段にはバーコードラベル貼付十束封排除装置１６が接続されている。バーコードラベル貼付十束封排除装置１６は、十束封ＩＤ判定装置１８において十束封ＩＤが適正に貼付されていないと判定された有価証券千枚束十束封７０を有価証券処理システムの外に排除するようになっている。
【００３６】
また、十束封ＩＤ判定装置１８の後段には、バーコードラベル貼付十束封排除装置１６を介して十束封積載装置１３（パレット積載手段）が接続されている。この十束封積載装置１３は、パレット供給ユニット３６ａとパレットバーコード判定装置３６ｃとを具備している。パレット供給ユニット３６ａによって空のパレット３７が準備される。空のパレット３７には、パレット３７を識別するためのパレットＩＤが表示されているパレットバーコードラベル６５が予め貼付されており、パレットバーコード判定装置３６ｃは、空パレット３７に貼付されているパレットバーコードラベル６５のパレットＩＤを正常に読み取ることができるか否かに基づいて、当該パレット３７の良否を判定するようになっている。パレットバーコード判定装置３６ｃで不良であると判定された空パレット３７は、ブザー及びランプによる警報が発せられた後に、十束封積載装置１３から排除されるようになっている。
【００３７】
この十束封積載装置１３は、十束封ＩＤ判定装置１８から送られてきた４０包の有価証券千枚束十束封７０を、パレットバーコード判定装置３６ｃで良好であると判定されたパレット３７に積載するようになっている（図６参照）。そして十束封積載装置１３は、パレット３７に積載された有価証券千枚束十束封７０の最上段に天板４３を積載して十束封積載パレットを作製するようになっている（図７参照）。
【００３８】
なお、バーコードラベル貼付十束封排除装置１６と十束封積載装置１３との間には目視確認エリア５９が設けられている。この目視確認エリア５９では、十束封ＩＤ判定装置１８からバーコードラベル貼付十束封排除装置１６を介して十束封積載装置１３に送られる有価証券千枚束十束封７０を目視で確認することができるようになっている。
【００３９】
十束封積載装置１３の後段にはターンテーブル２７を介して縛着装置４０が接続されている。この縛着装置４０は、十束封積載装置１３から送られてくる十束封積載パレットにエステルバンド３９をバンド掛けして、縛着十束封積載パレット５２を作製するようになっている（図７参照）。
【００４０】
縛着装置４０にはパレットＩＤ判定装置１９（保証手段）が接続されている。このパレットＩＤ判定装置１９は、図１３に示すように、パレットＩＤバーコードリーダ（ＢＣＲ）６９と十束封ＩＤバーコードリーダ（ＢＣＲ）６８とが接続されており、各十束封積載パレットに貼付されたパレットバーコードラベル６５と、印字されたパレットＩＤと、各十束封積載パレットの有価証券千枚束十束封７０に貼付された側面バーコドラベル６１と、印字された十束封ＩＤと、を読み取って縛着十束封積載パレット５２が正常か否かを判定するとともに、所定個数の有価証券千枚束がパレットに積載されていることを確認している。
【００４１】
十束封ＩＤバーコードリーダ６８は、可視波長域の光を照射する照射手段と反射光を撮像する画像取得手段とを有し、コンベア両側に２個ずつ計４個配置されており、縛着十束封積載パレット５２上に４封／段×１０段に積載されている千枚束十束封を、昇降装置（昇降手段）により１段ずつ昇降させながら読み取っている。パレットＩＤ判定装置１９により正常であると判定された場合には、当該縛着十束封積載パレット５２に関するパレットＩＤ及び十束封ＩＤが、後述する第２のパーソナルコンピュータ（ＰＬＣ）１７ｂに送られるようになっている。他方、パレットＩＤ判定装置１９により正常でないと判定された縛着十束封積載パレット５２は、ハンディータイプのバーコードリーダー等により正常であるか否かの判定を再度行うことが可能となっている。
【００４２】
また、縛着装置４０の後段にはパレットＩＤ判定装置１９を介して入記ラベル貼付装置６６が接続されている。この入記ラベル貼付装置６６は、縛着装置４０から送られてくる縛着十束封積載パレット５２に入記ラベル６７を貼付するようになっている。なお入記ラベル６７には各縛着十束封積載パレット５２の中身を識別するための記号類が印字可能となっている。
【００４３】
入記ラベル貼付装置６６の後段にはパレット搬送装置３８が接続されており、また、パレット搬送装置３８には縛着十束封積載パレット排除装置２８が接続されている。パレット搬送装置３８は、入記ラベル貼付装置６６から送られてきた縛着十束封積載パレット５２のうち、パレットＩＤ判定装置１９により正常であると判定された縛着十束封積載パレット５２を、当該有価証券処理システムから搬出して後段に送ることができるようになっている。また、入記ラベル貼付装置６６から送られてきた縛着十束封積載パレット５２のうち、パレットＩＤ判定装置１９により正常でないと判定された縛着十束封積載パレット５２は、パレット搬送装置３８から縛着十束封積載パレット排除装置２８に送られて、有価証券処理システムの外へ排除されるようになっている。
【００４４】
ところで、記番号表示票確認装置７と十束封ＩＤ判定装置１８とには第１のパーソナルコンピュータ（ＴＬＣ）１７ａが接続され、パレットＩＤ判定装置１９には第２のパーソナルコンピュータ（ＰＬＣ）１７ｂが接続されている。そして、ＴＬＣ１７ａとＰＬＣ１７ｂとには総合管理用のサーバ（ＢＣＳ）１７ｃが接続されている。
【００４５】
ＴＬＣ１７ａは、記番号表示票確認装置７から送られてくる各封緘有価証券千枚束５１に貼付された記番号表示票に印字された記番号と、十束封ＩＤ判定装置１８から送られてくる各有価証券千枚束十束封７０の十束封ＩＤと、を対応づけて記憶するとともに、対応づけた記番号および十束封ＩＤのデータをＢＣＳ１７ｃに送るようになっている。他方、ＰＬＣ１７ｂは、パレットＩＤ判定装置１９から送られてくる各有価証券千枚束十束封７０の十束封ＩＤと、各有価証券千枚束十束封７０の十束封が積載されている各パレット３７のパレットＩＤと、を対応づけて記憶するとともに、対応づけた十束封ＩＤおよびパレットＩＤのデータをＢＣＳ１７ｃに送るようになっている。そしてＢＣＳ１７ｃは、ＴＬＣ１７ａおよびＰＬＣ１７ｂから送られてくる各種データに基づいて、パレットＩＤと十束封ＩＤと記番号とを対応づけて記憶するようになっている。
【００４６】
なお、有価証券処理システムに供給された有価証券千枚束５０は、コンベヤ等を利用した搬送機により各装置間をスムーズに運ばれるようになっている。
【００４７】
次に、製品保証テープ確認装置３の構成について詳述する。
【００４８】
製品保証テープ確認装置３は、図８に示すように、所定の確認位置に配置された封緘有価証券千枚束５１に可視波長域の光および紫外線のそれぞれを照射する複数台（２台）の確認装置用照明機（照射手段）２０ａ、２０ｂと、封緘有価証券千枚束５１による可視波長域の光の反射光である可視反射光、および封緘用製品保証テープ５５に紫外線が照射される際に生じる紫外線励起光を一時に撮像することができる確認装置用エリアセンサ２１と、を有している。
【００４９】
確認装置用エリアセンサ２１には確認装置用画像取得部２２が接続されており、確認装置用画像取得部２２では確認装置用エリアセンサ２１で撮像した可視反射光および紫外線励起光を可視画像として取得することができるようになっている。従って、確認装置用エリアセンサ２１と確認装置用画像取得部２２とにより本発明の画像取得手段が形成されることとなる。
【００５０】
また、確認装置用画像取得部２２には、帯体位置検出部２３（帯体検出手段）およびテープ検出部２４（テープ検出手段）が順次接続されている。帯体位置検出部２３では、確認装置用画像取得部２２で取得された可視画像に基づいて封緘有価証券千枚束５１を帯封する横帯体４１ａ、縦帯体４１ｂの有無および位置を検出することができるようになっている。また、テープ検出部２４では、封緘有価証券千枚束５１に貼付された封緘用製品保証テープ５５の有無および位置を検出することができるようになっている。
【００５１】
また、テープ検出部２４には確認装置用良否判定部（良否判定手段）２５が接続されている。この確認装置用良否判定部２５は、帯体位置検出部２３で検出した横帯体４１ａ及び縦帯体４１ｂの位置とテープ検出部２４で検出した封緘用製品保証テープ５５の位置とに基づいて、品質確認対象となっている封緘有価証券千枚束５１の良否を判定することができるようになっている。
【００５２】
次に、記番号表示票確認装置７の構成について詳述する。
【００５３】
記番号表示票確認装置７は、図９に示すように、所定の確認位置に配置された封緘有価証券千枚束５１に可視波長域の光を照射する複数台（２台）の表示票用照明機（照射手段）７１ａ、７１ｂを有している。また、このようにして照射された光に対する封緘有価証券千枚束５１の反射光を撮像して可視画像として取得する表示票用エリアセンサ（画像取得手段）７２が設けられている。
【００５４】
表示票用エリアセンサ７２には表示票用画像取得部（記番号読取手段）７３が接続されている。表示票用画像取得部７３は、表示票用エリアセンサ７２により取得された画像から、封緘有価証券千枚束５１の最上部に位置する有価証券３０に印字されている記番号と、この封緘有価証券千枚束５１に貼付されている記番号表示票４２に印字されている記番号と、を読み取ることができるようになっている。
【００５５】
表示票用画像取得部７３には記番号照合部（記番号照合手段）７４が接続されている。記番号照合部７４は、表示票用画像取得部７３で読み取った有価証券３０に印字されている記番号と記番号表示票４２に印字されている記番号との整合性を照合検査するようになっている（記番号照合判定）。
【００５６】
また、記番号表示票確認装置７には、あらかじめ他のシステム（図示せず）において、封緘有価証券千枚束５１の最上部に位置する有価証券３０に表示されている記番号と、この封緘有価証券千枚束５１に貼付されている記番号表示票４２に印字されている記番号との整合性を照合検査して、良製品と判定されたデータを電磁的記録を介して、または通信手段を介して受信する手段（図示せず）が接続されている。そして、記番号表示票確認装置７における記番号照合部７４（記番号照合手段）および記番号照合手段判定によって不良と一旦判定された場合でも、他のシステムで良製品と判定されたデータと照合することにより、不良製品として排除されることを回避できるようになっている（回避手段）。
【００５７】
また、表示票用画像取得部７３には、記番号照合部７４を介して重複検査部７５（重複検査手段）が接続されている。この重複検査部７５は、表示票用画像取得部７３で読み取った記番号表示票４２に印字されている記番号から記番号の重複の有無を検査するようになっている（記番号重複チェック判定）。
【００５８】
また、重複検査部７５には表示票用良否判定部（良否判定手段）７６が接続されている。この表示票用良否判定部７６は、記番号照合部７４から送られてくる照合検査結果と重複検査部７５から送られてくる検査結果とに基づいて、品質確認対象となっている封緘有価証券千枚束５１の良否を判定することができるようになっている。
【００５９】
更に、記番号表示票確認装置７は、券種切り替えユニット（図示せず）を有している。この券種切り替えユニットは、確認対象となる封緘有価証券千枚束５１のサイズに応じて、画像取得手段が取得する画像位置を調整することができるようになっている。
【００６０】
なお、本発明の第１の記憶手段は、ＴＬＣ１７ａとＢＣＳ１７ｃとによって構成され、第２の記憶手段は、ＰＬＣ１７ｂとＢＣＳ１７ｃとによって構成されている。また、本発明の包装手段は、十束封包装置１１とシュリンク装置１２とによって構成され、本発明の封緘用製品保証テープ検査手段は、製品保証テープ確認装置３と製品保証テープ排除束集積装置５とによって構成されている。
【００６１】
次にこのような構成からなる本実施の形態の作用について説明する。
【００６２】
まず、有価証券処理システムの全体的な流れについて、図１０に示すフローチャートに従って概説する。
【００６３】
積載車３５に積載されている有価証券千枚束５０は、図示しない機械的手段によって製品供給装置２に供給され（ＳＴＥＰ１）、その後、製品供給装置２から搬送コンベヤによって製品保証テープ貼付装置１に送られる。なお、有価証券千枚束５０は手投入によって積載車から製品供給装置２に供給されてもよい。
【００６４】
製品保証テープ貼付装置１は、有価証券千枚束５０に封緘用製品保証テープ５５を貼付して封緘有価証券千枚束５１を作製する（ＳＴＥＰ２）。すなわち、製品保証テープ貼付装置１に送られた有価証券千枚束５０は、所定の貼付位置に配置され、テープ貼付機（図示せず）によって封緘用製品保証テープ５５が貼付される。この時、テープ貼付機は、帯封有価証券３０を帯封する横帯体４１ａと縦帯体４１ｂとの交差部６０において、縦帯体４１ｂにまたがった状態で横帯体４１ａ上に、封緘用製品保証テープ５５を貼付して、図３に示す封緘有価証券千枚束５１を作製する。従って、交差部６０では、有価証券３０、横帯体４１ａａ、縦帯体４１ｂ、記番号表示票４２、封緘用製品保証テープ５５の各々が、下から順に配置されることとなる。
【００６５】
このようにして貼付された封緘用製品保証テープ５５は強粘着特性を有しており、強力な粘着力で横帯体４１ａ及び縦帯体４１ｂに接着している。従って、この封緘用製品保証テープ５５を横帯体４１ａ及び縦帯体４１ｂからきれいに剥がすことは非常に難しい。
【００６６】
その後、封緘有価証券千枚束５１は、製品保証テープ貼付装置１から製品保証テープ確認装置３へ送られる。製品保証テープ確認装置３は、後述する具体的手法に従って、封緘用製品保証テープ５５が正しく貼付されているか否かを判定する（ＳＴＥＰ３）。
【００６７】
そして、この封緘有価証券千枚束５１は、製品保証テープ確認装置３から製品保証テープ排除束集積装置５へ送られる。この時、製品保証テープ確認装置３によって封緘用製品保証テープ５５が正しく貼付されていないと判定された封緘有価証券千枚束５１は、製品保証テープ排除束集積装置５から有価証券処理システムの外へ排除される（ＳＴＥＰ４）。他方、製品保証テープ確認装置３によって封緘用製品保証テープ５５が正しく貼付されていると判定された封緘有価証券千枚束５１は、製品保証テープ排除束集積装置５から記番号表示票確認装置７へ送られる。
【００６８】
記番号表示票確認装置７に封緘有価証券千枚束５１が送られると、記番号表示票確認装置７は、封緘有価証券千枚束５１に貼付されている記番号表示票４２に表示されている表示票記番号と、封緘有価証券千枚束５１の最上部の有価証券３０の記番号と、を読み取って、記番号照合判定、記番号重複チェック判定を行う（ＳＴＥＰ５）。
【００６９】
記番号表示票確認装置７における各種判定の結果、不良であると判定された封緘有価証券千枚束５１は、図示しない他のシステムから送信されてくる良製品であることを示すデータと比較される（ＳＴＥＰ５−１）。すなわち、図示しない他のシステムでは記番号表示票に表示されている表示票記番号と有価証券の記番号とを読み取って一致するか否かの判定を行い、一致する場合にはこの有価証券処理システムに対して磁気ディスクまたは通信ラインを介して良製品であることを示すデータが入力され記憶されている。そして、この比較（ＳＴＥＰ５−１）の結果、良製品であることを示すデータが存在しない場合には記番号表示票確認装置７から記番号表示票排除装置９へ送られて有価証券処理システムの外に排除される（ＳＴＥＰ６）。
【００７０】
また、上記比較（ＳＴＥＰ５−１）の結果、良製品であることを示すデータが存在する場合、及び記番号表示票確認装置７における各種判定の結果、良好であると判定された封緘有価証券千枚束５１は、記番号表示票確認装置７から十束集積装置１０へ送られる。また、良好であると判定された封緘有価証券千枚束５１の記番号表示票４２に印字されている記番号、すなわち封緘有価証券千枚束５１の最下部に位置する有価証券３０の記番号が、記番号表示票確認装置７からＴＬＣ１７ａへ送られる。
【００７１】
十束集積装置１０に送られた封緘有価証券千枚束５１は五束×二列の形態で集積され一体の十束製品が作製される。
【００７２】
十束製品は、十束集積装置１０から十束封包装置１１へ送られて、フィルムで封包される。すなわち、十束製品は、製品形態を崩すことなくフィルム内に押し込まれて、このフィルムによりキャラメル折りで包まれる。そして、十束製品を包むフィルムをヒータ等により溶着して、十束製品がフィルムで封包される。なお、十束製品をフィルムで封包する際には、フィルムを一定張力に制御して封包の緩みを防止したり、静電気除去バー等によりフィルムの帯電を防止したり、フィルムを溶着するヒータ等の温度を自動的に調整できるようにしたりすることが好ましい。
【００７３】
フィルムで封包された十束製品は、十束封包装置１１からシュリンク装置１２へ送られる。十束製品は、シュリンクトンネル内に送られて、熱風ブロアにより熱風が吹き付けられる。これにより、フィルムが軟化し収縮して、十束製品はフィルムにより密閉される。そして、十束製品がシュリンクトンネルから排出されると、十束製品は常温風ブロアにより常温風が吹き付けられ、フィルムの残熱が取り除かれる。このようにして、十束製品がフィルムにより密閉されて有価証券千枚束十束封７０が作製される（ＳＴＥＰ７）。
【００７４】
そして、有価証券千枚束十束封７０は、シュリンク装置１２からバーコード印字貼付装置１５へ送られる。バーコード印字貼付装置１５は、送られてきた有価証券千枚束十束封７０を他の有価証券千枚束十束封７０から識別するための十束封ＩＤを、２枚の側面バーコードラベル６１と２枚の上面バーコードラベル６３とに印字する。そして、図５に示すように、有価証券千枚束十束封７０の対向する各側面に側面バーコードラベル６１が各々貼付され、有価証券千枚束十束封７０の上面であって対向する各側面近傍に上面バーコードラベル６３が各々貼付される。
【００７５】
このような有価証券千枚束十束封７０は、バーコード印字貼付装置１５から十束封ＩＤ判定装置１８に送られる。十束封ＩＤ判定装置１８は、送られてきた有価証券千枚束十束封７０に貼付されている２枚の側面バーコードラベル６１及び２枚の上面バーコードラベル６３に印字されている十束封ＩＤを読み取る。そして、十束封ＩＤ判定装置１８は、各側面バーコードラベル６１及び各上面バーコードラベル６３に印字された十束封ＩＤを正常に読み取ることができるか否かを検査するとともに、各側面バーコードラベル６１及び各上面バーコードラベル６３に印字されている十束封ＩＤが同じものであるか否かを検査することにより、当該十束封ＩＤが適正なものであるか否かを判定する（ＳＴＥＰ８）。この判定の結果、読み取った十束封ＩＤが適正でないと判定された場合には、ＴＬＣ１７ａに記憶されている当該有価証券千枚束十束封７０の最下部に位置する有価証券３０の記番号の情報が、ＴＬＣ１７ａから消去される。他方、読み取った十束封ＩＤが適正であると判定された場合には、当該有価証券千枚束十束封７０の十束封ＩＤが、十束封ＩＤ判定装置１８からＴＬＣ１７ａへ送られる。
【００７６】
そして、有価証券千枚束十束封７０は、十束封ＩＤ判定装置１８からバーコードラベル貼付十束封排除装置１６へ送られる。この時、十束封ＩＤ判定装置１８で適正でないと判定された有価証券千枚束十束封７０は、バーコードラベル貼付十束封排除装置１６から有価証券処理システムの外に排除される（ＳＴＥＰ９）。
【００７７】
他方、十束封ＩＤ判定装置１８で適正であると判定された有価証券千枚束十束封７０は、バーコードラベル貼付十束封排除装置１６から目視確認エリア５９を経て十束封積載装置１３へ送られる。
【００７８】
目視確認エリア５９では、十束封積載装置１３に送られる有価証券千枚束十束封７０を目視で確認することができる。これにより、例えば包装フィルムに大きな穴があったり、接着部分が剥がれているなど、状態の悪い有価証券千枚束十束封７０が、十束封積載装置１３へ送られることを防ぐことができる。
【００７９】
十束封積載装置１３に送られた有価証券千枚束十束封７０は、後述する過程で良好であると判定されたパレット３７に順次積載される（ＳＴＥＰ１０）。この時、パレット３７には、図６に示すように、縦方向に２包、横方向に２包、高さ方向に１０包の有価証券千枚束十束封７０が積載される。従って、一つのパレット３７には、十束封積載装置１３から送られてきた合計４０包の有価証券千枚束十束封７０が積載される。そして、パレット３７に積載された４０包の有価証券千枚束十束封７０の最上段に天板４３が積載されて十束封積載パレットが作製される。
【００８０】
この十束封積載パレットは、十束封積載装置１３から縛着装置４０へ送られる。縛着装置４０は、送られてきた十束封積載パレットの所定箇所をエステルバンド３９によって縛着して縛着十束封積載パレット５２を作製する（ＳＴＥＰ１１）。これにより、縛着十束封積載パレット５２の各有価証券千枚束十束封７０は、エステルバンド３９によって積載が保持されて崩壊が防がれる。
【００８１】
縛着十束封積載パレット５２は、縛着装置４０からパレットＩＤ判定装置１９へ送られる。パレットＩＤ判定装置１９は、送られてきた縛着十束封積載パレット５２に貼付されたパレットバーコードラベル６５に印字されたパレットＩＤと、各十束封積載パレットの有価証券千枚束十束封７０に貼付された側面バーコードラベル６１に印字された十束封ＩＤとを読み取る。この時パレットＩＤ判定装置１９は、パレットバーコードラベル６５のパレットＩＤと、当該パレット３７に積載、縛着されている各有価証券千枚束十束封７０の側面バーコードラベル６１に印字された十束封ＩＤと、を正常に読み取ることができるか否かに基づいて、縛着十束封積載パレット５２の良否を判定する。（ＳＴＥＰ１２）。そして、パレットＩＤ判定装置１９により縛着十束封積載パレット５２が正常であると判定された場合には、パレットＩＤ及び十束封ＩＤは、ＰＬＣ１７ｂに送られて、相互に対応付けられてＰＬＣ１７ｂに記憶される。そして、この縛着十束封積載パレット５２は、パレットＩＤ判定装置１９から入記ラベル貼付装置６６へ送られる。
【００８２】
他方、パレットＩＤ判定装置１９により正常でないと判定された縛着十束封積載パレット５２は、ハンディータイプのバーコードリーダー等により、正常であるか否かが再度判定される。この再度の判定の結果、正常であると判定された縛着十束封積載パレット５２は入記ラベル貼付装置６６へ送られ、パレットＩＤ及び十束封ＩＤは、ＰＬＣ１７ｂに送られて相互に対応付けられてＰＬＣ１７ｂに記憶される。
【００８３】
入記ラベル貼付装置６６に送られてきた縛着十束封積載パレット５２は、入記ラベル６７が貼付される（ＳＴＥＰ１３）。入記ラベル６７には、縛着十束封積載パレット５２に積載されている有価証券３０の券種、合計金額、製造日付、取扱者・責任者、製造元名、等の種々の情報を印字することができる。従って、この入記ラベル６７に印字された記号類が用いられて縛着十束封積載パレット５２の中身を容易に識別することが可能である。
【００８４】
入記ラベル６７が貼付された縛着十束封積載パレット５２は、入記ラベル貼付装置６６からパレット搬送装置３８に送られる。そして、パレットＩＤ判定装置１９により正常であると判定された縛着十束封積載パレット５２は、パレット搬送装置３８により搬出されて当該有価証券処理システムから後段へ送られる（ＳＴＥＰ１４）。他方、パレットＩＤ判定装置１９により正常でないと判定された縛着十束封積載パレット５２は、パレット搬送装置３８から縛着十束封積載パレット排除装置２８に送られて、有価証券処理システムの外へ排除される（ＳＴＥＰ１５）。
【００８５】
ところで、記番号表示票確認装置７からＴＬＣ１７ａに送られてくる各有価証券千枚束５０に含まれている有価証券３０の記番号と、十束封ＩＤ判定装置１８からＴＬＣ１７ａに送られてくる十束封ＩＤと、は相互に対応づけられてＴＬＣ１７ａに記憶される。そして、この対応づけられた記番号及び十束封ＩＤは、ＴＬＣ１７ａからＢＣＳ１７ｃに送られる。また、ＰＬＣ１７ｂに記憶されている対応づけられたパレットＩＤ及び十束封ＩＤは、ＰＬＣ１７ｂからＢＣＳ１７ｃに送られる。
【００８６】
ＢＣＳ１７ｃは、ＴＬＣ１７ａから送られてきた記番号及び十束封ＩＤと、ＰＬＣ１７ｂから送られてきたパレットＩＤ及び十束封ＩＤとに基づいて、パレットＩＤと十束封ＩＤと記番号とを対応づけて記憶する。例えば、本実施の形態では図１１に示すように、１個のパレットＩＤに４０個の十束封ＩＤが対応づけられ、また、１個の十束封ＩＤに１０個の記番号が対応づけられる。
【００８７】
このように、パレットＩＤ、十束封ＩＤ、記番号のそれぞれを対応づけて記憶させておくことにより、各有価証券千枚束５０と、各有価証券千枚束十束封７０と、各パレット３７との対応関係を明確にすることができる。
【００８８】
次に、製品保証テープ確認装置３における処理工程について説明する。
【００８９】
図８に示す製品保証テープ確認装置３において、封緘有価証券千枚束５１は所定の確認位置に配置される。所定の確認位置に配置された封緘有価証券千枚束５１は、確認装置用照明機２０ａ、２０ｂによって可視波長域の光と紫外線とが各々照射される。このとき、封緘有価証券千枚束５１は照射された可視波長域の光を反射し、また、封緘有価証券千枚束５１の封緘用製品保証テープ５５に含まれる蛍光物質は、照射された紫外線によって励起されて紫外線励起光を発光する。
【００９０】
封緘有価証券千枚束５１による可視波長域の光の反射光（可視反射光）および封緘用製品保証テープ５５による紫外線励起光は、確認装置用エリアセンサ２１により一時に撮像され、確認装置用画像取得部２２において可視画像として取得される。すなわち、確認装置用画像取得部２２では、封緘有価証券千枚束５１の最上部に位置する有価証券３０の全体および有価証券３０を帯封する帯体４１が可視反射光による可視画像として取得され、また、封緘用製品保証テープ５５が紫外線励起光による可視画像として取得される。
【００９１】
確認装置用画像取得部２２で取得した可視画像は帯体位置検出部２３に送られ、帯体位置検出部２３は有価証券３０を帯封する横帯体４１ａ、縦帯体４１ｂの有無および位置を検出する。また、確認装置用画像取得部２２で取得した可視画像はテープ検出部２４にも送られ、テープ検出部２４は封緘用製品保証テープ５５の有無および位置を検出する。
【００９２】
帯体位置検出部２３で検出された横帯体４１ａ、縦帯体４１ｂの有無および位置と、テープ検出部２４で検出された封緘用製品保証テープ５５の有無および位置と、は確認装置用良否判定部２５に送られる。確認装置用良否判定部２５は、横帯体４１ａ、縦帯体４１ｂの位置および封緘用製品保証テープ５５の位置に基づいて品質確認対象となっている封緘有価証券千枚束５１の品質の良否を判定する。
【００９３】
この時、確認装置用良否判定部２５では、封緘用製品保証テープ５５が規定位置に貼付されているか否かによって、品質確認対象となっている封緘有価証券千枚束５１の品質の良否が判定される。ここで封緘用製品保証テープ５５を貼付する規定位置は、横帯体４１ａ、縦帯体４１ｂの位置に対する封緘用製品保証テープ５５の相対位置により定められる。
【００９４】
すなわち確認装置用良否判定部２５では、図１２に示すように、封緘用製品保証テープ５５が縦帯体４１ｂの右側に突出している距離ｘｒおよび左側に突出している距離ｘｌと、横帯体４１ａが封緘用製品保証テープ５５の上側に突出している距離ｙｕおよび下側に突出している距離ｙｄと、が求められる。そして、求められたｘｒ、ｘｌ、ｙｕ、ｙｄ、のそれぞれが、所定の距離ｘ１、ｘ２およびｙ１、ｙ２を用いて表される以下の式（１）および式（２）に規定された条件を満たすか否かによって、封緘有価証券千枚束５１の品質の良否が判定される。
【００９５】
ｘ１  ≦  ｘｒ、ｘｌ  ≦  ｘ２    ・・・（１）
ｙ１  ≦  ｙｕ、ｙｄ  ≦  ｙ２    ・・・（２）
式（１）および式（２）の両者を満たす場合には封緘有価証券千枚束５１の品質は良好であると判定され、他方、式（１）および式（２）のうち少なくとも一方を満たさない場合には封緘有価証券千枚束５１の品質は良好でないと判定される。
【００９６】
確認装置用良否判定部２５で品質が良好であると判定された封緘有価証券千枚束５１は、製品保証テープ排除束集積装置５を通過して記番号表示票確認装置７に送られる。他方、確認装置用良否判定部２５で品質が良好でないと判定された封緘有価証券千枚束５１は、製品保証テープ排除束集積装置５に送られて有価証券処理システムの外に排出される。
【００９７】
次に、記番号表示票確認装置７における処理工程について説明する。
【００９８】
図９に示す記番号表示票確認装置７において、封緘有価証券千枚束５１は所定の確認位置に配置される。所定の確認位置に配置された封緘有価証券千枚束５１は、表示票用照明機７１ａ、７１ｂによって可視波長域の光が照射され、表示票用エリアセンサ７２は、この封緘有価証券千枚束５１による反射光を表示票用エリアセンサ等により一時に撮像して可視画像を取得する。これにより、表示票用エリアセンサ７２は、封緘有価証券千枚束５１の最上部に位置する有価証券３０に印字されている記番号と、この封緘有価証券千枚束５１に貼付されている記番号表示票４２に印字されている記番号とを含む可視画像を取得する。そして、この可視画像は表示票用エリアセンサ７２から表示票用画像取得部７３へ送られる。
【００９９】
表示票用画像取得部７３は、表示票用エリアセンサ７２から送られてきた可視画像に基づいて、封緘有価証券千枚束５１の最上部に位置する有価証券３０に印字されている記番号と、この封緘有価証券千枚束５１に貼付されている記番号表示票４２に印字されている記番号とを読み取る。そして、表示票用画像取得部７３が読み取った情報は、記番号照合部７４に送られるとともに、記番号照合部７４を介して重複検査部７５にも送られる。
【０１００】
記番号照合部７４は、表示票用画像取得部７３から送られてくる情報に基づいて、封緘有価証券千枚束５１の最上部に位置する有価証券３０に印字されている記番号と、この封緘有価証券千枚束５１に貼付されている記番号表示票４２に印字されている記番号と、の整合性を照合検査する。
【０１０１】
本実施の形態では、記番号表示票４２には封緘有価証券千枚束５１の最下部に位置する有価証券３０の記番号は印字されているのに対し、可視画像から取得される有価証券３０に印字されている記番号は、封緘有価証券千枚束５１の最上部に位置する有価証券３０の記番号である。このため、記番号照合部７４は、表示票用画像取得部７３からの情報に基づいて、有価証券３０に印字されている記番号と記番号表示票４２に印字されている記番号とが適切な対応関係にあるか否かを照合することにより、整合性の適否を判断する。この照合検査の結果は、記番号照合部７４から重複検査部７５を介して表示票用良否判定部７６に送られる。
【０１０２】
一方、重複検査部７５は、表示票用画像取得部７３から送られてくる情報に基づいて、封緘有価証券千枚束５１の記番号の重複の有無を検査する。具体的には、表示票用画像取得部７３から送られてくる記番号と、重複検査部７５に接続されているＴＬＣ１７ａあるいはＢＣＳ１７ｃに既に記憶されている他の封緘有価証券千枚束５１に関する記番号と、を照合する。そして、ＴＬＣ１７ａあるいはＢＣＳ１７ｃに既に記憶されている記番号のうち、表示票用画像取得部７３から送られてくる記番号と同一のものがある場合には、重複を有し検査結果は適切でないとされる。この重複検査の結果は、重複検査部７５から表示票用良否判定部７６に送られる。
【０１０３】
表示票用良否判定部７６は、記番号照合部７４から送られてくる照合検査結果と重複検査部７５から送られてくる重複検査結果とに基づいて、品質確認対象となっている封緘有価証券千枚束５１の良否を判定する。すなわち、上述の照合検査結果および重複検査結果のうち少なくともいずれか一方の検査結果が適切ではない場合には、当該封緘有価証券千枚束５１は良好でないと判断される。そして当該封緘有価証券千枚束５１は、記番号表示票排除束集積装置９へ送られて有価証券処理システムの外に排除される。他方、上述の照合検査結果および重複検査結果がいずれも適切である場合には、当該封緘有価証券千枚束５１は十束集積装置１０へ送られ、記番号表示票４２に印字されている記番号が、記番号表示票確認装置７からＴＬＣ１７ａへ送られる。
【０１０４】
次に、十束封積載装置１３で有価証券千枚束十束封７０が積載されるパレット３７の供給方法について説明する。
【０１０５】
まず、十束封積載装置１３のパレット供給ユニット３６ａにより空のパレット３７が準備される。この空パレット３７にはパレットバーコードラベル６５が予め貼付されており、このパレットバーコードラベル６５には当該空パレット３７を識別するためのパレットＩＤが印字されている。そして、パレットバーコード判定装置３６ｃが、空パレット３７に貼付されたパレットバーコードラベル６５に印字されたパレットＩＤを正常に読み取ることが可能か否かを判定する。パレットバーコード判定装置３６ｃがパレットＩＤを正常に読み取ることが可能であると判定した場合には、当該パレット３７は、良好であると判断され、後段に送られて有価証券千枚束十束封７０が積載される。他方、パレットバーコード判定装置３６ｃがパレットＩＤを正常に読み取ることが不可能であると判定した場合には、ブザー及びランプによる警報が発せられた後に、十束封積載装置１３から排除されるようになっている。これにより、適切なパレットバーコードラベル６５が貼付されているパレット３７にのみ、有価証券千枚束十束封７０が積載されることとなる。
【０１０６】
以上説明したように本実施の形態によれば、記番号と十束封ＩＤとは対応づけられてＴＬＣ１７ａに記憶され、パレットＩＤと十束封ＩＤとは対応づけられてＰＬＣ１７ｂに記憶され、記番号と十束封ＩＤとパレットＩＤとは対応づけられてＢＣＳ１７ｃに記憶される。このため、有価証券３０の記番号を、その記番号が含まれる有価証券千枚束十束封７０の十束封ＩＤ及びその有価証券千枚束十束封７０が含まれるパレット３７のパレットＩＤと対応づけて、有価証券処理システムを管理することができる。従って例えば、有価証券千枚束十束封７０をパレット３７に積載して縛着した後に、何らかの異常や障害が発生して所定の有価証券千枚束５０を調査する必要が生じた場合であっても、ＢＣＳ１７ｃに記憶されたパレットＩＤと十束封ＩＤと記番号との対応関係に基づいて、所定の有価証券千枚束５０がいずれのパレット３７に積載しているかを容易に特定することができる。このように本発明によれば、容易かつ確実に各有価証券千枚束５０を特定することが可能である。
【０１０７】
また、製品保証テープ貼付装置１は、横帯体４１ａ、縦帯体４１ｂとは別個に設けられた封緘用製品保証テープ５５によって有価証券千枚束５０を封緘している。これにより、有価証券千枚束５０に対して不正行為が行われた場合には、不正行為を容易かつ確実に特定することが可能となり、有価証券千枚束５０の品質を適切に保証することができる。また、封緘用製品保証テープ５５は蛍光物質を含んでいるので、紫外線を照射することによって、封緘用製品保証テープ５５の有無および位置を容易に特定することが可能となる。さらに、封緘用製品保証テープ５５は外部から直下の情報を読みとることができる透明体から成るので、封緘用製品保証テープ５５が、封緘用製品保証テープ５５の直下の記番号表示票４２等の情報の読みとりを妨げることはなく、封緘有価証券千枚束５１の取り扱いの利便化を図ることができる。また、封緘用製品保証テープ５５は強粘着特性を有しているので、横帯体４１ａ及び縦帯体４１ｂから封緘用製品保証テープ５５をきれいに剥がすことは非常に難しい。このため、封緘用製品保証テープ５５が剥がされて不正行為が行われた場合であっても、当該不正行為を容易かつ確実に特定することができる。
【０１０８】
また、製品保証テープ確認装置３は、封緘有価証券千枚束５１の封緘用製品保証テープ５５の有無および位置を迅速かつ効率良く確認することができる。特に、可視波長域の光の反射光により横帯体４１ａ、縦帯体４１ｂおよび有価証券３０を確認することができるとともに、封緘用製品保証テープ５５に含まれる蛍光物質の励起光により封緘用製品保証テープ５５を容易に確認することができる。このため、封緘用製品保証テープ５５の有無および位置に基づいて封緘有価証券千枚束５１の良否を精度良く判定することが可能となり、良好でない封緘有価証券千枚束５１を有価証券処理システムの外へ容易に排除することが可能となる。
【０１０９】
また、記番号表示票確認装置７は、記番号照合部７４により封緘有価証券千枚束５１の最上部に位置する有価証券３０に表示されている記番号と、記番号表示票４２に表示されている記番号と、の間における整合性を容易に照合検査することができるとともに、表示票用画像取得部７３で読み取った記番号から封緘有価証券千枚束５１の記番号の重複の有無を容易に検査することができる。更に、これらの照合検査結果と記番号の重複の検査結果とに基づいて、封緘有価証券千枚束５１の良否を精度良く判定することが可能となる。
【０１１０】
なお、記番号表示票４２に表示される記番号は、各有価証券千枚束５０に含まれている有価証券３０を識別することができるものであればよい。このため、記番号表示票４２に表示される記番号は、数字、記号、文字、これらの組み合わせでもよく、記番号表示票４２も単に番号票でもよい。
【０１１１】
また、製品保証テープ確認装置３の有する確認装置用照明機２０ａ、２０ｂは、可視波長域の光および紫外線を、封緘有価証券千枚束５１に適切に照射することができるものであればよい。従って、図４に示すように複数台（２台）の確認装置用照明機２０ａ、２０ｂを設けて、各確認装置用照明機２０ａ、２０ｂによって可視波長域の光および紫外線を別個に封緘有価証券千枚束５１に照射してもよいし、１台の確認装置用照明機によって可視波長域の光および紫外線の両者を封緘有価証券千枚束５１に照射してもよい。同様に、１台の表示票用照明機によって可視波長域の光を封緘有価証券千枚束５１に照射してもよい。
【０１１２】
また、確認装置用照明機が照射する紫外線は、封緘用製品保証テープ５５に含まれる蛍光物質を励起して励起光を生じさせて、封緘用製品保証テープ５５の有無および位置を確認するために照射するものである。従って、必ずしも封緘有価証券千枚束５１全体に紫外線を照射するものである必要はなく、規定位置に貼付された封緘用製品保証テープ５５に、適切に紫外線を照射することができるものであればよい。
【０１１３】
帯体位置検出部２３は、確認装置用画像取得部２２で撮像された可視画像に基づいて帯体４１の有無および位置を検出するものであり、テープ検出部２４は、確認装置用画像取得部２２で撮像された可視画像に基づいて封緘用製品保証テープ５５の有無および位置を検出するものである。このため、本実施の形態では、確認装置用画像取得部２２が可視反射光および紫外線励起光を一時に可視画像として撮像する例について説明したが、可視反射光による可視画像と紫外線励起光による可視画像とを別々に撮像するものであってもよい。
【０１１４】
なお、記番号表示票確認装置７の重複検査部７５は、表示票用画像取得部７３で読み取った有価証券３０に印字されている記番号に基づいて記番号の重複の有無の検査を行ってもよい。
【０１１５】
本明細書において、有価証券３０とは、銀行券、切手、小切手、証券、宝くじに代表される厳密に番号管理された印刷物及び類似なものを指す。
【０１１６】
【発明の効果】
以上説明したように、本発明の有価証券処理システムによれば、各有価証券千枚束十束封を識別するためのラベルＩＤ及び各封緘有価証券千枚束を識別するための記番号を相互に対応づけて記憶する第１の記憶手段と、ラベルＩＤ及び各パレットを識別するためのパレットＩＤを相互に対応づけて記憶する第２の記憶手段と、に基づいて有価証券を管理することができる。これにより、各有価証券千枚束十束と各有価証券千枚束十束封と各パレットとの対応関係を明確にすることができ、何らかの障害・異常が発生した場合であっても各有価証券千枚束十束を容易かつ確実に特定することができる。
【０１１７】
また、封緘用製品保証テープ検査手段による検査結果及び記番号検査手段による検査結果が正しい封緘有価証券千枚束のみを、包装手段によりフィルムで包装する。このため、良好な封緘有価証券千枚束のみをフィルムで包装することができる。
【図面の簡単な説明】
【図１】有価証券処理システム全体の構成図である。
【図２】積載車から十束封包装置へ有価証券千枚束が搬送される過程を示す概略図である。
【図３】封緘有価証券千枚束を示す図である。
【図４】記番号表示票を示す図である。
【図５】側面バーコードラベル及び上面バーコードラベルを貼付した有価証券千枚束十束封を示す図である。
【図６】パレットに積載された有価証券千枚束十束封を示す図である。
【図７】入記ラベルが貼付された縛着十束封積載パレットを示す図である。
【図８】製品保証テープ確認装置の構成図である。
【図９】記番号表示票確認装置の構成図である。
【図１０】有価証券処理システムの全体の流れを示すフローチャートである。
【図１１】総合管理用サーバ（ＢＣＳ）に記憶されるパレットＩＤと十束封ＩＤと記番号とを対応づけた管理データの一例を示す概念図である。
【図１２】製品保証テープ確認装置による製品保証テープの確認方法を説明するための説明図である。
【図１３】パレットＩＤ判定装置の詳細図である。
【符号の説明】
１  製品保証テープ貼付装置
２  製品供給装置
３  製品保証テープ確認装置
５  製品保証テープ排除束集積装置
７  記番号表示票確認装置
９  記番号表示票排除束集積装置
１０  十束集積装置
１１  十束封包装置
１２  シュリンク装置
１３  十束封積載装置
１５  バーコード印字貼付装置
１６  バーコードラベル貼付十束封排除装置
１７ａ  第１のパーソナルコンピュータ（ＴＬＣ）
１７ｂ  第２のパーソナルコンピュータ（ＰＬＣ）
１７ｃ  総合管理用サーバ（ＢＣＳ）
１８  十束封ＩＤ判定装置
１９  パレットＩＤ判定装置
２０ａ、２０ｂ  確認装置用照明機
２１  確認装置用エリアセンサ
２２  確認装置用画像取得部
２３  帯体位置検出部
２４  テープ検出部
２５  確認装置用良否判定部
２７  ターンテーブル
２８  縛着十束封積載パレット排除装置
３０  有価証券
３５  積載車
３６ａ  パレット供給ユニット
３６ｃ  パレットバーコード判定装置
３７  パレット
３８  パレット搬送装置
３９  エステルバンド
４０  縛着装置
４１  帯体
４１ａ  横帯体
４１ｂ  縦帯体
４２  記番号表示票
４３  天板
５０  有価証券千枚束
５１  封緘有価証券千枚束
５２  縛着十束封積載パレット
５５  封緘用製品保証テープ
５９  目視確認エリア
６０  交差部
６１  側面バーコードラベル
６３  上面バーコードラベル
６５  パレットバーコードラベル
６６  入記ラベル貼付装置
６７  入記ラベル
６８  十束封ＩＤバーコードリーダ
６９  パレットＩＤバーコードリーダ
７０  有価証券千枚束十束封
７１ａ、７１ｂ  表示票用照明機
７２  表示票用エリアセンサ
７３  表示票用画像取得部
７４  記番号照合部
７５  重複検査部
７６  表示票用良否判定部
【図１】
0004093538.tif 000002
【図２】
0004093538.tif 000003
【図３】
0004093538.tif 000004
【図４】
0004093538.tif 000005
【図５】
0004093538.tif 000006
【図６】
0004093538.tif 000007
【図７】
0004093538.tif 000008
【図８】
0004093538.tif 000009
【図９】
0004093538.tif 000010
【図１０】
0004093538.tif 000011
【図１１】
0004093538.tif 000012
【図１２】
0004093538.tif 000013
【図１３】
0004093538.tif 000014